(57)【特許請求の範囲】
【請求項１】
一の版胴が複数の版領域部を備え、それぞれの該版領域部毎に異なる色のインキを供給するインキ供給装置とフレームとが設けられ、該インキ供給装置には該版領域部に接触可能なインキ着けローラーが設けられたオフセット印刷機において、
版へのインキ供給時に一の該版領域部に接触可能な該インキ着けローラーを他の該版領域部から離間させるインキ着けローラー離接手段を有し、
各々の該インキ供給装置には、該インキ着けローラーが複数設けられ、版へのインキ供給停止時に、複数の該インキ着けローラーを該版胴から同時に離間させ、また、複数の該インキ着けローラーを該版胴に同時に接触させる連動手段を備え、
該複数のインキ着けローラーは、それぞれ一端が該フレームに回動可能に支承されるローラー支承アームの他端寄りの位置に回転可能に支承され、
該連動手段は、エアシリンダーと該エアシリンダーの駆動により所定の軸を中心に回動又は揺動するアーム、リンク及びローラとを備え、
該エアシリンダーの駆動によりアーム、リンク及びローラが回動又は揺動することによって該ローラー支承アームが押圧され、該複数のインキ着けローラーは、該ローラー支承アームが押圧されて回動することによって、該版胴が何れの回転位置にあるかにかかわらず該版胴に対して同時に離間することを特徴とするオフセット印刷機。
【発明の詳細な説明】
【０００１】
【産業上の利用分野】
本発明はオフセット印刷機に関し、特に、１つの版胴の表面が複数の領域に分割され各々の領域に互いに異なる色のインキが供給されて多色刷りが行われるオフセット印刷機に関する。
【０００２】
【従来の技術】
従来より、複数色で印刷が可能なオフセット印刷機はよく知られている。
【０００３】
特表平９−５１０４１０号公報には、４色刷りを行うオフセット印刷機が記載されている。この印刷機には、圧胴、排紙装置、給紙コンベヤ及び受け渡し胴が各１個設けられ、ゴム胴及び版胴が各２個設けられ、また、４色分のインキ着けローラーが設けられている。給紙コンベヤ及び受け渡し胴は、圧胴の表面上へ用紙を供給する。圧胴は、その表面に用紙が載置される。排紙装置は、圧胴表面上の用紙を排紙する。ゴム胴は、圧胴の表面に供給された用紙とともに圧胴によって押圧される。
【０００４】
圧胴は、モータの駆動力によって回転する。２つのゴム胴の軸心は圧胴の軸心と平行であり、２つのゴム胴は圧胴に接しており、圧胴の回転によって２つのゴム胴が回転するように構成されている。ゴム胴と同様に、給紙コンベヤ、受け渡し胴及び排紙装置も、圧胴の回転によって駆動、回転するように構成されている。
【０００５】
版胴は、その表面に印刷するための版が配置される。２つの版胴は、その軸心がゴム胴の軸心と平行であり２つのゴム胴に対して各１個ずつ接しており、ゴム胴の回転によって回転する。１つの版胴の表面は、２つの版領域部に分割されており、第１版領域部はある一色を印刷するための版をなしている。また、第２版領域部は他の一色を印刷するための版をなしている。即ち、２つの版胴に合計で４色分の版が配置されるように構成されている。
【０００６】
インキ着けローラーは、版胴上に配置された版の上にインキを供給する。１つの版胴の表面に２色のインキを供給できるように、１つの版胴に対して２色分のインキ着けローラーが設けられており、全部で合計４色分のインキ着けローラーが設けられている。インキ着けローラーは、その軸心が版胴の軸心と平行であり、版胴と接しており、版胴の回転によって回転するように構成されている。
【０００７】
この印刷機では、版胴表面の第１版領域部上に、その領域部に対応する色のインキを供給しようとするときには、その色を供給するインキ着けローラーと第１版領域部とが接触させられて回転する。その回転が行われているときに、インキ着けローラーから第１版領域部へとインキの供給が行なわれる。
【０００８】
【発明が解決しようとする課題】
しかし、従来のオフセット印刷機では、インキ着けローラーと版胴上の版領域部とを接触させる具体的な機械的構成は提案されていなかった。即ち、版胴が回転し、第１版領域部が、その領域部に対応する色のインキを供給するインキ着けローラーに接近したときには、第１版領域部とインキ着けローラーとを確実に接触させ、また、第２版領域部がそのインキ着けローラーに接近したときには、そのインキ着けローラーと第２版領域部とを確実に離間させるための具体的な機械的構成は提案されていなかった。
【０００９】
そこで本発明は、版胴上の所定の版領域部のみに、所定のインキ供給装置に設けられたインキ着けローラーを確実に接触させることができるオフセット印刷機を提供することを目的とする。
【００１０】
【課題を解決するための手段】
上記目的を達成するために、本発明は、一の版胴７が複数の版領域部７ａ、７ｂを備え、それぞれの該版領域部７ａ、７ｂ毎に異なる色のインキを供給するインキ供給装置１０とフレーム１１とが設けられ、該インキ供給装置１０には該版領域部７ａ、７ｂに接触可能なインキ着けローラー１１０、１３０、１５０が設けられたオフセット印刷機において、版へのインキ供給時に一の該版領域部７ａに接触可能な該インキ着けローラー１１０、１３０、１５０を他の該版領域部７ｂから離間させるインキ着けローラー離接手段１１２、１１３、１１６、１１７、１１９、１３２、１５２、１３３、１５３、１３６、１３７、１３９、７ｃを有し、各々の該インキ供給装置１０には、該インキ着けローラー１１０、１３０、１５０が複数設けられ、版へのインキ供給停止時に、複数の該インキ着けローラー１１０、１３０、１５０を該版胴７から同時に離間させ、また、複数の該インキ着けローラー１１０、１３０、１５０を該版胴７に同時に接触させる連動手段１７４、１７６、１７８、１８０、１８３、１８４、１８６、１８７を備え、該複数のインキ着けローラー１１０、１３０、１５０は、それぞれ一端が該フレーム１１に回動可能に支承されるローラー支承アーム１１２、１３２、１５２の他端寄りの位置に回転可能に支承され、該連動手段は、エアシリンダー１８０と該エアシリンダー１８０の駆動により所定の軸を中心に回動又は揺動するアーム１７４、１７８、リンク１７６、１８３及びローラ１８６、１８７とを備え、該エアシリンダー１８０の駆動によりアーム１７４、１７８、リンク１７６、１８３及びローラ１８６、１８７が回動又は揺動することによって該ローラー支承アーム１１２、１３２、１５２が押圧され、該複数のインキ着けローラー１１０、１３０、１５０は、該ローラー支承アーム１１２、１３２、１５２が押圧されて回動することによって、該版胴７が何れの回転位置にあるかにかかわらず該版胴７に対して同時に離間するオフセット印刷機を提供している。
【００１１】
【発明の実施の形態】
本発明の第１の実施の形態によるオフセット印刷機について図１乃至図６に基づき説明する。
【００１２】
先ず、オフセット印刷機の構成の概要について図１乃至図２に基づき説明する。オフセット印刷機１には、骨格をなすフレーム１１（図５）に図示せぬモータが固着されており、図示せぬモータの出力軸には、出力ギヤ２が設けられている。印刷機１には略円筒形状の圧胴３が設けられており、圧胴３と同軸的に一体回転可能に設けられた図示せぬ圧胴ギヤに出力ギヤ２は噛合している。図示せぬモータの駆動力は、出力ギヤ２及び図示せぬ圧胴ギヤを介して圧胴３へと伝達されるように構成されている。
【００１３】
印刷機１には、圧胴３表面へ用紙を供給する略円筒形状の給紙胴４が設けられている。また、給紙胴４と同軸的に回転可能に図示せぬ給紙胴ギヤが設けられており、図示せぬ給紙胴ギヤは図示せぬ圧胴ギヤと噛合している。圧胴３、給紙胴４は互いに表面を接しながら回転するように構成されている。印刷機１には、用紙を積層するための給紙パイル４１が設けられており、給紙パイル４１と給紙胴４の間には、用紙を給紙パイル４１から給紙胴４の方向へと移動させるための略ベルトコンベア状のフィーダーボード４２と、給紙胴４へ用紙を正確に且つスムーズに送込むためのインフィード部４３とが設けられている。インフィード部４３には、用紙を正確な位置に移動させるための図示せぬローラ等から構成される見当機構が設けられており、この図示せぬ見当機構は、給紙胴ギヤの回転によって駆動されるように図示せぬ駆動機構が設けられている。用紙を給紙パイル４１からインフィード部４３へと移動させるようにフィーダーボード４２を駆動するための駆動力は、インフィード部４３内の図示せぬ見当機構を駆動する図示せぬ駆動機構から伝達される。給紙胴４の表面には、用紙を給紙胴４上に係止し、圧胴３へと送るための給紙胴爪４ａが、給紙胴４に対して一体回転可能に設けられている。給紙胴４、給紙胴爪４ａ、給紙パイル４１、フィーダーボード４２及びインフィード部４３は給紙装置を構成する。
【００１４】
また、圧胴３表面の用紙を排紙するための略円筒形状の排紙部５が設けられている。排紙部５には、図示せぬ圧胴ギヤと噛合し排紙部５と同軸的に一体回転可能に設けられた図示せぬ排紙部ギヤが設けられている。圧胴３、排紙部５は、互いに表面を接しながら回転するように構成されている。排紙部５の周囲には、チェーン５１が環装されており、チェーン５１はまた、排紙部５から離間した位置に設けられたスプロケット５２の周囲も環装している。チェーン５１には、圧胴３上の用紙を係止し排紙するための排紙グリッパー５１ａが複数設けられている。スプロケット５２の下方には、排紙した用紙を積重ねるための排紙パイル５３が設けられている。排紙部５、チェーン５１及びスプロケット５２は、圧胴ギヤから図示せぬ排紙部ギヤと伝達された回転力によって回転するように構成されている。排紙部５、チェーン５１、排紙グリッパー５１ａ、スプロケット５２及び排紙パイル５３は排紙装置を構成する。
【００１５】
印刷機１には、２つのゴム胴６が設けられており、ゴム胴６にはゴム胴６と同軸的に一体回転可能に図示せぬゴム胴ギヤが設けられている。図示せぬゴム胴ギヤは図示せぬ圧胴ギヤに噛合しており、ゴム胴６はその表面で圧胴３に接しながら回転する。印刷が行なわれるときには、圧胴３の表面に供給された用紙は圧胴３によってゴム胴６へと押圧される。圧胴３の回転力は、図示せぬ圧胴ギヤ及び図示せぬゴム胴ギヤを介して、ゴム胴６に伝達されるように構成されている。
【００１６】
また、印刷機１には、２つの版胴７が設けられており、版胴７には版胴７と同軸的に一体回転可能に図示せぬ版胴ギヤが設けられている。２つの図示せぬ版胴ギヤは図示せぬ２つのゴム胴ギヤにそれぞれ噛合しており、版胴７はその表面をゴム胴６に接しながら回転する。ゴム胴６の回転力は、図示せぬゴム胴ギヤ及び図示せぬ版胴ギヤを介して版胴７に伝達される。１つの版胴７の表面は第１版領域部７ａ及び第２版領域部７ｂの２つの版領域部に分けられ、第１版領域部は、ある一色を印刷するための版をなしている。また、第２版領域部７ｂは、他の一色を印刷するための版をなしている。即ち、１つの版胴７に２色分、合計で４色分の版が２つの版胴７、７の表面に配置される。
【００１７】
各々の版胴７の表面に対向する位置には、版胴７の第１、第２版領域部７ａ、７ｂにインキを供給しゴム胴６に転写されるインキ像を形成するためのインキ供給装置１０、１０がそれぞれ設けられている。インキ供給装置１０は、図２に示されるように、第１、第２、第３インキ着けローラー１１０、１３０、１５０（請求項１、２の第１、第２インキ着けローラーに該当。また、請求項３の第１インキ着けローラーに該当）を有しており、また、インキ供給装置１０は、インキ壺１０１、インキ元ローラ１０２、インキ呼出しローラ１０３、インキ練りローラ１０４、インキ往復ローラ１０５等から構成されるインキ供給部を有している。インキ供給部は、インキ壺１０１内のインキを、インキ元ローラ１０２、インキ呼出しローラ１０３、インキ練りローラ１０４、インキ往復ローラ１０５の順に移動させてインキ着けローラー１１０、１３０、１５０へと供給できるように、流体的に接続された構成となっている。また、インキ着けローラー１１０等は、版胴７の表面から離接可能に設けられており、インキ供給部とインキ着けローラー１１０等は、インキ着けローラー１１０等が離接するときにもインキ壺１０１からインキ着けローラー１１０等へとインキを供給可能に流体接続されるように構成されている。
【００１８】
次に、版胴７上の第１版領域部のみにインキ供給装置１０の第１、第２、第３インキ着けローラー１１０、１３０、１５０を離接させる機構の詳細について、図３乃至図６に基づき説明する。
【００１９】
先ず、第１インキ着けローラー１１０を版胴７の表面に離接させる第１の離接手段について説明する。印刷機１のフレーム１１（図５）には、図３において、版胴７の軸と平行に紙面の上方向に突出する支軸１１１が設けられており、支軸１１１には、第１インキ着けローラー支承アーム１１２の一端が、支軸１１１を回動の軸として回動可能に支承されている。第１インキ着けローラー支承アーム１１２は、略「く」の字形状をしており、その屈曲部において第１インキ着けローラー１１０のインキ着けローラー軸１１０ａを、回転可能に支承している。また、屈曲部には、拡張スプリング１１４の一端が係止されており、拡張スプリング１１４の他端はフレーム１１に設けられたスプリング係止部１１ａに係止されている。拡張スプリング１１４によって第１インキ着けローラー支承アーム１１２は、支軸１１１を中心として図３の時計回り方向へ回動されるように付勢されている。即ち、拡張スプリング１１４は、第１インキ着けローラー１１０を版胴７に接する方向に付勢している。第１インキ着けローラー支承アーム１１２の他端には、図３において版胴７の軸と平行に紙面の上方向に突出する支軸１１２ａが設けられており、支軸１１２ａには、調整カラー１１３と固定ナット１９０とが設けられている。調整カラー１１３は略筒形状をなし、その中心軸から偏心した位置に貫通口が形成されており、支軸１１２ａが貫通口を貫通している。また、調整カラー１１３には、図３において、版胴７の軸方向に突出する六角ナット状突出部１１３ａが設けられている。固定ナット１９０は六角形状をなし、その中心軸に貫通口が形成されており支軸１１２ａが貫通口を貫通している。調整カラー１１３の六角ナット状突出部１１３ａに六角レンチをあてて回すことによって、支軸１１２ａを中心として調整カラー１１３を回転させることが可能であるが、調整を行わない平時には、固定ナット１９０の締め付けによって調整カラー１１３が支軸１１２ａに対して固定された状態となっている。この構成により、後述するように、第１インキ着けローラー１１０の版胴７に対する押圧力を調整可能としている。
【００２０】
版胴７には、図３において版胴７の軸と同軸的に略円柱状に突出する第１、第２のカム７ｃ、７ｄが設けられている。第１カム７ｃと第２カム７ｄとは、版胴７の軸方向に隣合って配置されている。第１カム７ｃは、第１版領域部側の半径が第２版領域部の側の半径よりも短い第１カム面７ｅ、及び第２版領域部側の半径が第１版領域部の側の半径よりも長い第１カム面７ｈを形成し、第２カム７ｄは、第２版領域部側の半径が第１版領域部側の半径よりも短い第２カム面７ｇ、及び第１版領域部側の半径が第２版領域部の側の半径よりも長い第２カム面７ｆを形成している。
【００２１】
印刷機１のフレーム１１（図５）上であって、カム７ｃ、７ｄと支軸１１１との間の位置には、版胴７の軸と平行に突出するスタッド１１５が設けられており、スタッド１１５には、略「く」の字形状をした着脱アーム１１６が、その屈曲部においてスタッド１１５を軸として回動可能に支承されている。着脱アーム１１６の一端には、円盤状をしたカムフォロアー１１７が、その軸部をボルト１１８（図５）によって貫通されることにより回転可能に支承されており、カムフォロアー１１７は、版胴７に設けられた第１カム７ｃの第１カム面７ｅ、７ｈに当接している。着脱アーム１１６の他端は、２本のボルト１２０、１２０によって、板形状のインキ着けローラー着脱カム１１９の一端と固着されている。従って、インキ着けローラー着脱カム１１９と着脱アーム１１６とは、スタッド１１５を軸として一体回動可能となっている。インキ着けローラー着脱カム１１９の、ボルト１２０によって固着されている側とは反対側の他端には、調整カラー当接面１１９ａが形成されており、調整カラー１１３が調整カラー当接面１１９ａに当接可能に構成されている。
【００２２】
拡張スプリング１１４の付勢力によって、第１インキ着けローラー１１０、第１インキ着けローラー支承アーム１１２及び調整カラー１１３は、支軸１１１を中心として、図３の時計回り方向へと一体に回動付勢され、第１インキ着けローラー１１０は、版胴７の第１版領域部７ａと接触するが、それと同時に調整カラー１１３が調整カラー当接面１１９ａに当接し、インキ着けローラー着脱カム１１９が調整カラー１１３によって押圧され、着脱アーム１１６がスタッド１１５を軸として反時計回り方向に回動付勢され、カムフォロアー１１７が第１カム７ｃの第１、第４カム面７ｅ、７ｈと当接する方向に付勢されるように構成されている。
【００２３】
カムフォロアー１１７は第１カム７ｃの第１、第４カム面７ｅ、７ｈに追従しており、第１版領域部７ａ側の第１カム面７ｅに、カムフォロアー１１７が当接しているときには、カムフォロアー１１７の軸部は、版胴７の軸心からもっとも近い所に位置するように構成されている。またカムフォロアー１１７が第２版領域部７ｂ側の第４カム面７ｈに当接しているときには、カムフォロアー１１７の軸部は、版胴７の軸心からもっとも遠い所に位置するように構成されている。
【００２４】
第１インキ着けローラー支承アーム１１２が図３の時計方向に回動したときに、第１インキ着けローラー１１０が所定の圧力以上の圧力で版胴７と接触しないようにするために、印刷機１のフレーム１１（図５）上であって、スタッド１１５と支軸１１１との間の位置には、略Ｍ字形状をした固定カム１２１が設けられている。固定カム１２１は、ボルト１２２によってフレーム１１に固着されている。第１カム７ｃの第4カム面７ｈにカムフォロアー１１７が当接し、調整カラー１１３と調整カラー当接面１１９ａとが当接することによって第１インキ着けローラー支承アーム１１２が図３の反時計方向に回動付勢されているときには、固定カム１２１は調整カラー１１３と離間し対向している。第１カム７ｃの第１カム面７ｅにカムフォロアー１１７が当接しているときには、調整カラー１１３が固定カム１２１に当接し、調整カラー１１３と調整カラー当接面１１９ａとは離間し対向する。即ち、調整カラー１１３が版胴７の軸心方向へ回動すると、調整カラー１１３が固定カム１２１に当接しそれ以上回動しないように規制され、そのときに調整カラー１１３と一体に回動する第１インキ着けローラー１１０も回動が規制されるように構成されている。六角レンチ等を用いて、支軸１１２ａを中心として調整カラー１１３を回転させると、固定カム１２１から支軸１１２ａまでの距離が変化し、それに伴って版胴７の軸心から第１インキ着けローラー１１０の第１インキ着けローラー軸１１０ａまでの距離が変化し、版胴７に第１インキ着けローラー１１０が接触しているときの接触圧力を変化させることができるように構成されている。第１インキ着けローラー支承アーム１１２、調整カラー１１３、着脱アーム１１６、カムフォロアー１１７、インキ着けローラー着脱カム１１９及び第１カム７ｃは、離接手段を構成する。
【００２５】
次に、第２、第３インキ着けローラー１３０、１５０を版胴７の表面に離接させる第２の離接手段について説明する。印刷機１のフレーム１１（図５）上であって、版胴７の軸心からの距離が支軸１１１までの距離と略等しい位置には、図３において、版胴７の軸と平行に突出する支軸１３１が設けられており、支軸１３１には、第２インキ着けローラー支承アーム１３２の一端が、支軸１３１を回動の軸として回動可能に支承されている。第２インキ着けローラー支承アーム１３２は、第１インキ着けローラー支承アーム１１２と略同形の「く」の字形状をしており、その屈曲部において第２インキ着けローラー１３０のインキ着けローラー軸１３０ａを回転可能に支承している。また、屈曲部には、拡張スプリング１３４の一端が係止されており、拡張スプリング１３４の他端はフレーム１１に設けられたスプリング係止部１１ｂに係止されている。拡張スプリング１３４によって第２インキ着けローラー支承アーム１３２は、支軸１３１を中心として図３の時計回り方向へ回動されるように付勢されている。第２インキ着けローラー支承アーム１３２の他端には、図３において版胴７の軸と平行に突出する支軸１３２ａが設けられており、支軸１３２ａには、調整カラー１３３と固定ナット１９１とが設けられている。調整カラー１３３は略筒形状をなし、その軸から偏心した位置に貫通口が形成され、支軸１３２ａが貫通口を貫通している。また、調整カラー１３３には、図３において、版胴７の軸と平行に突出する六角ナット状突出部１３３ａが設けられている。固定ナット１９１は六角形状をなし、その中心軸に貫通口が形成されており支軸１３２ａが貫通口を貫通している。調整カラー１３３の六角ナット状突出部１３３ａに六角レンチをあてて回すことによって、支軸１３２ａを中心として調整カラー１３３を回転させることが可能であることは、調整カラー１１３と同様である。
【００２６】
また、支軸１３１には、第３インキ着けローラー支承アーム１５２の一端が、支軸１３１を回動の軸として回動可能に支承されている。第３インキ着けローラー支承アーム１５２は、第２インキ着けローラー支承アーム１３２とは別体構成であり、略「く」の字形状をし、図３において、支軸１３１の直径方向に延びる水平仮想直線を対称軸として、第２インキ着けローラー支承アーム１３２に対して略線対称形状となっており、その屈曲部において第３インキ着けローラー１５０のインキ着けローラー軸１５０ａを、回転可能に支承している。また、屈曲部には、拡張スプリング１５４の一端が係止されており、拡張スプリング１５４の他端はフレーム１１に設けられたスプリング係止部１１ｃに係止されている。拡張スプリング１５４によって第３インキ着けローラー支承アーム１５２は、支軸１３１を中心として図３の反時計回り方向へ回動されるように付勢されている。第３インキ着けローラー支承アーム１５２の他端には、図３において版胴７の軸と平行に突出する支軸１５２ａが設けられており、支軸１５２ａには、調整カラー１５３と固定ナット１９２とが設けられている。調整カラー１５３は略筒形状をなし、その軸から偏心した位置に貫通口が形成され、支軸１５２ａが貫通口を貫通している。また、調整カラー１５３には、図３において、版胴７の軸と平行に突出する六角ナット状突出部１５３ａが設けられている。固定ナット１９２は六角形状をなし、その中心軸に貫通口が形成されており支軸１５２ａが貫通口を貫通している。調整カラー１５３の六角ナット状突出部１５３ａに六角レンチをあてて回すことによって、支軸１５２ａを中心として調整カラー１５３を回転させることが可能であることは、調整カラー１１３、１３３と同様である。
【００２７】
印刷機１のフレーム１１（図５）上であって、第１カム７ｃ、第２カム７ｄのカム面と支軸１１１との間の位置には、版胴７の軸と平行に突出するスタッド１３５が設けられており、スタッド１３５には、略台形形状をした着脱アーム１３６が、その長辺部（台形の下底部に相当）の一方の角部付近においてスタッド１３５を軸として回動可能に支承されている。着脱アーム１３６の長辺部の他方の角部付近には、円盤状をしたカムフォロアー１３７が、その軸部をボルト１３８（図５）によって貫通されることにより回転可能に支承されており、カムフォロアー１３７は、版胴７に設けられた第１カム７ｃの第１、第４カム面７ｅ、７ｈに当接している。着脱アーム１３６の短辺部（台形の上底部に相当）は、２本のボルト１４０、１４０（図５）によって、略台形状のインキ着けローラー着脱カム１３９の上底部と固着されている。従って、インキ着けローラー着脱カム１３９と着脱アーム１３６とは、スタッド１３５を軸として一体回動可能となっている。インキ着けローラー着脱カム１３９の下底部には、調整カラー当接面１３９ｂが形成されており、調整カラー１５３と調整カラー当接面１３９ｂとは当接可能に構成されている。また、インキ着けローラー着脱カム１３９の一方の斜辺部にも、調整カラー当接面１３９ａが形成されており、調整カラー１３３と調整カラー当接面１３９ａとは当接可能に構成されている。
【００２８】
拡張スプリング１３４の付勢力によって、第２インキ着けローラー１３０、第２インキ着けローラー支承アーム１３２及び調整カラー１３３は、支軸１３１を中心として図３の時計回り方向へと一体回動されて、第２インキ着けローラー１３０は版胴７の第１版領域部７ａに接触する。また、拡張スプリング１５４の付勢力によって、第３インキ着けローラー１５０、第３インキ着けローラー支承アーム１５２及び調整カラー１５３は、支軸１３１を中心として図３の反時計回り方向へと一体回動されて、第３インキ着けローラー１５０は版胴７の第１版領域部７ａと接触する。第２、第３インキ着けローラー１３０、１５０が第１版領域部７ａに接触するのと同時に、調整カラー１３３、１５３が調整カラー当接面１３９ａ、１３９ｂに当接し、インキ着けローラー着脱カム１３９が調整カラー１３３、１５３によって押圧され、インキ着けローラー着脱カム１３９と一体の着脱アーム１３６がスタッド１３５を軸として図３の反時計回り方向に回動し、カムフォロアー１３７が第１カム７ｃの第１カム面７ｅに当接する方向に付勢されるように構成されている。
【００２９】
カムフォロアー１３７は、カムフォロアー１１７と同様に第１カム７ｃのカム面に追従しており、第１カム面７ｅにカムフォロアー１３７が当接しているときには、カムフォロアー１３７の軸部は、版胴７の軸心からもっとも近い所に位置するように構成されている。また、第４カム面７ｈに該カムフォロアー１３７が当接しているときには、カムフォロアー１３７の軸部は、版胴７の軸心からもっとも遠い所に位置するように構成されている。
【００３０】
第２インキ着けローラー支承アーム１３２が図３の時計方向に回動したときに、第２インキ着けローラー１３０が所定の圧力以上の圧力で版胴７と接触しないようにするために、印刷機１のフレーム１１（図５）上であって、スタッド１３５と支軸１３１との間の位置には、略台形形状をした固定カム１４１が設けられている。固定カム１４１は、ボルト１４２（図５）によってフレーム１１に固着されている。また、第３インキ着けローラー支承アーム１５２が反時計方向に回動したときに、第３インキ着けローラー１５０が所定の圧力以上の圧力で版胴７と接触しないようにするために、印刷機１のフレーム１１（図５）上であって、スタッド１３５と支軸１３１との間の位置であって固定カム１４１と隣接する位置に、略台形形状をした固定カム１６１が設けられている。固定カム１６１は、ボルト１６２（図５）によってフレーム１１に固着されている。
【００３１】
第１カム７ｃの第４カム面７ｈにカムフォロアー１３７が当接し、調整カラー１３３、１５３と調整カラー当接面１３９ａ、１３９ｂとがそれぞれ当接することによって、第２インキ着けローラー支承アーム１３２が図３の反時計方向に回動付勢され、第３インキ着けローラー支承アーム１５２が図３の時計方向に回動付勢されると、調整カラー１３３は固定カム１４１から離間し、また調整カラー１５３は固定カム１６１から離間する。第１カム７ｃの第１カム面７ｅにカムフォロアー１３７が当接しているときには、調整カラー１３３、１５３が固定カム１４１、１６１にそれぞれ当接し、調整カラー１３３、１５３と調整カラー当接面１３９ａ、１３９ｂとはそれぞれ離間して対向する。即ち、調整カラー１３３、１５３が版胴７の軸心方向へ回動すると、調整カラー１３３、１５３が固定カム１４１、１６１にそれぞれ当接しそれ以上回動しないように規制され、調整カラー１３３、１５３とそれぞれ一体に回動する第２、第３インキ着けローラー１３０、１５０もそれぞれ回動が規制される。六角レンチ等を用いて、支軸１３２ａ、１５２ａを中心として調整カラー１３３、１５３をそれぞれ回転させると、固定カム１４１、１６１から支軸１３２ａ、１５２ａまでの距離がそれぞれ変化し、それに伴って版胴７の軸心から第２、第３インキ着けローラー１３０、１５０の第２、第３インキ着けローラー軸１３０ａ、１５０ａまでの距離がそれぞれ変化し、版胴７に第２、第３インキ着けローラー１３０、１５０が接触しているときの接触圧力を変化させることができることは、第１インキ着けローラー１１０の場合と同様である。
【００３２】
第２、第３インキ着けローラー支承アーム１３２、１５２、調整カラー１３３、１５３、着脱アーム１３６、カムフォロアー１３７，インキ着けローラー着脱カム１３９及び第１カム７ｃは、離接手段を構成する。
【００３３】
次に、第１、第２、第３インキ着けローラー１１０、１３０、１５０が、版胴７に対して離接する動作について説明する。カムフォロアー１１７、１３７が第１カム７ｃの第１版領域部７ａ側の第１カム面７ｅに当接しているときには、図３に実線で示されているように、着脱アーム１１６、１３６はスタッド１１５、１３５を中心として、反時計回り方向に回動した状態となる。このとき、インキ着けローラー着脱カム１１９、１３９は着脱アーム１１６、１３６とそれぞれ一体に回動される。インキ着けローラー着脱カム１１９、１３９の回動に伴い、インキ着けローラー着脱カム１１９、１３９に当接していた調整カラー１１３、１３３は、支軸１１１、１３１を中心として時計回り方向に回動し、調整カラー１５３は支軸１３１を中心として反時計回り方向に回動する。これと同時に第１、第２インキ着けローラー１１０、１３０も支軸１１１、１３１を中心として時計回り方向に回動し、第３インキ着けローラー１５０も支軸１３１を中心として反時計回り方向に回動し、第１、第２、第３インキ着けローラー１１０、１３０、１５０はそれぞれ版胴７と接触する。但し、インキ着けローラー着脱カム１１９、１３９の調整カラー当接面１１９ａ、１３９ａ、１３９ｂから調整カラー１１３、１３３、１５３の軸心までの距離は、固定カム１２１、１４１、１６１の一部であって調整カラー１１３、１３３、１５３とそれぞれ対向する面から調整カラー１１３、１３３、１５３の軸心までの距離より長くなっているため、調整カラー１１３、１３３、１５３は、それぞれ固定カム１２１、１４１、１６１と当接する。このため、第１、第２、第３インキ着けローラー１１０、１３０、１５０が版胴７と接触する接触圧力が、所定の圧力に留められる。
【００３４】
カムフォロアー１１７、１３７が第１カム７ｃの第４カム面７ｈに当接しているときには、図３に２点鎖線で示されているように、着脱アーム１１６、１３６はスタッド１１５、１３５を中心として、時計回り方向に回動した状態となる。このとき、インキ着けローラー着脱カム１１９、１３９は着脱アーム１１６、１３６とそれぞれ一体に回動される。そしてインキ着けローラー着脱カム１１９、１３９は調整カラー１１３、１３３、１５３に当接する。インキ着けローラー着脱カム１１９、１３９の回動に伴い調整カラー１１３、１３３は支軸１１１、１３１を中心として反時計回り方向に回動し、調整カラー１５３は支軸１３１を中心として時計回り方向に回動する。これと同時に第１、第２インキ着けローラー１１０、１３０も支軸１１１、１３１を中心として反時計回り方向に回動し、第３インキ着けローラー１５０は支軸１３１を中心として時計回り方向に回動し、第１、第２、第３インキ着けローラー１１０、１３０、１５０はそれぞれ版胴７から離間する。
【００３５】
以上のように、版胴７に第１カム７ｃを設け、版胴７の表面の第１版領域部７ａのみに第１、第２、第３インキ着けローラー１１０、１３０、１５０を接触させる第１、第２の離接手段を設けたため、第１版領域部７ａに第１、第２、第３インキ着けローラーを確実に接触させることができ、第２版領域部７ｂから第１、第２、第３インキ着けローラーを確実に離間させることができる。また、第１インキ着けローラー１１０と第２インキ着けローラー１３０とが、版胴７の第１版領域部７ａに接触するタイミング及び期間は、第１カム７ｃのカム面と、カムフォロア１１７、１３７との位置関係によって定まり、第１版領域部７ａの先頭部分がそれぞれのインキ着けローラー１１０、１３０に到達した時点から、それぞれ接触を開始でき、第１版領域部７ａの末尾部分がそれぞれのインキ着けローラー１１０、１３０に到達した時点で接触をそれぞれ終了できる。従って、それぞれのインキ着けローラー１１０と１３０とは、互いに均等に、第１版領域部７ａに接触することができ、その結果、第１版領域部７ａ全体においてインキ濃度を均一化できる。このことは、第１インキ着けローラー１１０と第３インキ着けローラー１５０の関係についても同様である。
【００３６】
なお、以上の説明は、第１、第２、第３インキ着けローラー１１０、１３０、１５０が第１版領域部７ａに対して当接し、第２版領域部７ｂに対して離間するためのものであるが、図３の右半分の二点鎖線で示されるように、第１、第２、第３インキ着けローラー１１０、１３０、１５０及びこれらインキ着けローラーを版胴７から離接させるための第１離接手段及び、第２の離接手段と同様の構成のインキ着けローラー１１０’、１３０’、１５０’（請求項３の第２インキ着けローラーに該当）及び離接手段が、第１、第２、第３インキ着けローラー１１０、１３０、１５０及び第１離接手段及び第２離接手段とは、版胴７に関して直径方向反対側の位置に配置されている。この構成は第１、第２、第３インキ着けローラー１１０、１３０、１５０に対応する第１、第２、第３インキ着けローラー１１０’、１３０’、１５０’が、第２版領域部７ｂに対して当接し、第１版領域部７ａに対して離間するための構成であり、上述した説明と同様であるので、説明を省略する。ただし、カムフォロア１１７、１３７に対応するカムフォロア１１７’、１３７’は、第１カム７ｃに追従動作するのではなく、第１カム７ｃに隣接する第２カム７ｄに関連していることが相違する。
【００３７】
次に、第１の離接手段と第２の離接手段とを連動させ一体駆動して、第１、第２、第３インキ着けローラー１１０、１３０、１５０を版胴７から同時に離接させる連動機構について図３乃至図５に基づき説明する。
【００３８】
印刷機１のフレーム１１において、支軸１１１とスタッド１３５の間の位置には、図５に示されるように、円柱状の貫通口１１Ａが形成されている。フレーム１１と平行に設けられたフレーム１２にも円柱状の貫通口１２Ａが形成されており、貫通口１１Ａと貫通口１２Ａとは同軸的に形成されている。貫通口１１Ａには、略円筒形状の止めカラー１７１が嵌挿されており、止めカラー１７１はネジによってシャフト１７３に固着されている。ブッシュ１７２の内周面にはシャフト１７３が回転可能に貫通している。シャフト１７３は、貫通口１２Ａにも同様に設けられたブッシュ２７２に対しても回転可能に貫通している。シャフト１７３のフレーム１１側の一端には、図３に示されるように、アーム１７４の一端が固着されている。シャフト１７３のフレーム１２側の端には、アーム２７４（図４）の一端が固着されている。アーム１７４は、シャフト１７３から版胴７の軸心に向かって延びるような形状で設けられており、シャフト１７３に固着されている一端とは反対側の端には、ピン１７５によって略「ノ」の字形状をなし版胴７の略周方向に延びるリンク１７６の一端が、ピン１７５を中心として回動可能に支承されており、また、略円盤形状のローラ１８６がその軸部をピン１７５によって貫通され、ピン１７５を中心に回転可能に支承されている。ローラ１８６はインキ着けローラー着脱カム１１９と当接可能に対向している。
【００３９】
印刷機１のフレーム１１上であって版胴７の軸を中心として支軸１３１よりもさらに図３の反時計回り方向へ回転した位置には、図３において版胴７の軸と平行に突出するスタッド１７７が、ボルト１８９によって固着されている。フレーム１１に固着されているスタッド１７７の一端とは反対側の端には、アーム１７８の一端が、スタッド１７７を中心として回動可能に支承されている。アーム１７８は、スタッド１７７から版胴７の軸心に向かって延びるような形状で設けられており、スタッド１７７に支承されている一端とは反対側の端には、ピン１７９によって略「ノ」の字形状をしたリンク１７６の他端が、ピン１７９を中心として回動可能に支承されており、また、略円盤形状のローラ１８７（図５）がその軸部をピン１７９によって貫通され、ピン１７９を中心に回転可能に支承されている。ローラ１８７はインキ着けローラー着脱カム１３９と当接可能に対向している。
【００４０】
印刷機１のフレーム１１上であって版胴７の軸を中心としてスタッド１７７よりもさらに図３の反時計回り方向へ回転した位置には、エアシリンダー１８０の一端がピン１８１によって固着されている。エアシリンダー１８０の他端には、スタッド１８２によって略長方形状をしたリンク１８３及び連動リンク１８４の一端が、スタッド１８２を中心として回動可能に支承されている。リンク１８３の他端は、フレーム１１にスタッド１８５によって、スタッド１８５を中心として回動可能に支承されている。連動リンク１８４の他端は、アーム１７８の両端の間の部分であってピン１７９寄りの位置にピン１８８によって、ピン１８８を中心として回動可能に支承されている。
【００４１】
アーム１７４、リンク１７６、アーム１７８、リンク１８３、連動リンク１８４及びエアシリンダー１８０は、連動手段を構成する。
【００４２】
次に、エアシリンダー１８０を動作して第１、第２、第３インキ着けローラー１１０、１３０、１５０を同時に版胴７表面に離接する動作について説明する。エアシリンダー１８０が動作していないときには、図３に実線で示されるように、リンク１８３及び連動リンク１８４によって略「く」の字が形成されている。この状態では、アーム１７８がスタッド１７７を中心として図３の時計回り方向に回動している状態となっており、アーム１７８と連動しているリンク１７６はその全体が版胴７の軸を中心として反時計回り方向に回動され、アーム１７４は、シャフト１７３を中心として時計回り方向に回動された状態となっている。このときローラ１８６、１８７は、インキ着けローラー着脱カム１１９、１３９から離反した状態となっている。従って、ローラ１８６、１８７は、インキ着けローラー着脱カム１１９、１３９に何ら影響を与えておらず、第１インキ着けローラー１１０と、第２、第３インキ着けローラー１３０、１５０とは、前述の通り第１、第２の離接手段によってのみ、版胴７に対して互いに独立して離接動作を行う。
【００４３】
エアシリンダー１８０が動作したときには、図３に２点鎖線で示されるように、リンク１８３及び連動リンク１８４によって略一直線が形成される。このとき、アーム１７８がスタッド１７７を中心として反時計回り方向に回動し、アーム１７８と連動しているリンク１７６はその全体が版胴７の軸を中心として時計回り方向に回動され、アーム１７４は、シャフト１７３を中心として反時計回り方向に回動された状態となっている。これらの回動に伴い、ローラ１８６、１８７は、版胴７の軸を中心として時計回り方向へ移動し、インキ着けローラー着脱カム１１９、１３９にそれぞれ当接する。インキ着けローラー着脱カム１１９、１３９はローラー１８６、１８７の押圧力によって、スタッド１１５、及びスタッド１３５を中心として図３の時計方向に回動する。この回動量は、前述のカムフォロアー１１７、１３７が第１カム７ｃのカム面の第２版領域部７ｂ側に当接しているときの量と同様である。インキ着けローラー着脱カム１１９、１３９がこの位置に移動することによって、第１、第２、第３インキ着けローラー１１０、１３０、１５０は版胴７から同時に離間する。
【００４４】
以上、第１、第２、第３インキ着けローラー１１０、１３０、１５０を離接する機構をフレーム１１の側について説明したが、これらのインキ着けローラーを離接する機構は、フレーム１１と平行に設けられたフレーム１２の側にも左右対称に設けられている。但し、エアシリンダー１８０、ピン１８１、スタッド１８２、リンク１８３、連動リンク１８４、スタッド１８５に対応する部材は、フレーム１２側には設けられておらず、フレーム１２側のアーム２７４（アーム１７４に対応）、リンク２７６（リンク１７６に対応）及びアーム２７８（アーム１７８に対応）の回動は、フレーム１１側のアーム１７４と一体に回転するシャフト１７３にアーム１７４の回転力が伝達されることにより、行われるように構成されている。符号は、フレーム１１側の部材が百番台で示されているが、フレーム１１側の部材に対応するフレーム１２側の部材は、図４において、二百番台で示されている。
【００４５】
版胴７上の版へのインキ供給を停止する際には、第１、第２、第３インキ着けローラー１１０、１３０、１５０を同時に版胴７から離間しなければならないが、リンク１７６の両端に設けられたローラ１８６、１８７によって、第１インキ着けローラー１１０を離接させるインキ着けローラー着脱カム１１９と第２及び第３インキ着けローラー１３０、１５０を離接させるインキ着けローラー着脱カム１３９とを連動させ一体駆動させて、第１、第２、第３インキ着けローラーを同時に版胴７から離接させることができるので、第１、第２、第３インキ着けローラーを同時に版胴７から離間させるための構成を別途設ける必要はなく、印刷機の製造コストの低減を図ることができる。
【００４６】
本発明によるオフセット印刷機は上述した実施の形態に限定されず、特許請求の範囲に記載した範囲で種々の変形や改良が可能である。例えば、本実施の形態では、エアシリンダー１８０をフレーム１１の側のみに設けたが、フレーム１２の側にも設けて、アーム１７８とアーム２７８とを同時に回動させるようにしてもよい。また、オフセット印刷機自体は、デジタル式のものであってもよく、デジタル式のものでなくてもよい。また、本実施の形態では、インキ供給装置が４つ設けられた４色印刷が可能なオフセット印刷機としたが、インキ供給装置の数はそれより少なくとも多くともよい。
【００４７】
【発明の効果】
請求項１記載のオフセット印刷機によれば、版胴上の版へのインキ供給を停止する際には、複数のインキ着けローラー等を同時に版胴から離間させる必要があるが、複数のインキ着けローラーを版胴に対して離接する連動手段を設け、一のインキ供給装置に設けられた複数のインキ着けローラーを版胴に対して同時に離間できるようにしたため、インキ着けローラーを同時に版胴７から離間させるための特別の機構を新たに設ける必要はなく、部品の数を減らすことができ、印刷機の製造コストの低減を図ることができる。また、部品の数を減らすことによって、部品の破損等の生ずる可能性も低くすることができ、印刷機の製品の信頼性を高めることができる。
【図面の簡単な説明】
【図１】本発明の実施の形態によるオフセット印刷機を示す概略側面図。
【図２】本発明の実施の形態によるオフセット印刷機の版胴付近を示す概略側面図。
【図３】本発明の実施の形態によるオフセット印刷機のインキ着けローラーを版胴に対して離接させる機構を示す側面図。
【図４】本発明の実施の形態によるオフセット印刷機のインキ着けローラーを版胴に対して離接させる機構を示す図３の反対側の側面図。
【図５】本発明の実施の形態によるオフセット印刷機のインキ着けローラーを版胴に対して離接させる機構を示す展開正面図。
【図６】本発明の実施の形態によるオフセット印刷機のインキ着けローラーを示す平面図。
【符号の説明】
３        圧胴
６        ゴム胴
７        版胴
７ａ      第１版領域部
７ｂ      第２版領域部
７ｃ      第１カム
７ｄ      第２カム
７ｅ      第１カム面
７ｆ      第２カム面
７ｇ      第３カム面
７ｈ      第４カム面
１０      インキ供給装置
１０１    インキ壺
１０２    インキ元ローラ
１０３    インキ呼出しローラ
１０４    インキ練りローラ
１０５    インキ往復ローラ
１１０    第１インキ着けローラー
１１２    第１インキ着けローラー支承アーム
１１３    調整カラー
１１６    着脱アーム
１１７    カムフォロアー
１１９    インキ着けローラー着脱カム
１３０    第２インキ着けローラー
１３２    第２インキ着けローラー支承アーム
１３３，１５３      調整カラー
１３６    着脱アーム
１３７    カムフォロアー
１３９    インキ着けローラー着脱カム
１５０    第３インキ着けローラー
１５２    第３インキ着けローラー支承アーム
１７４、１７８      アーム
１７６、１８３      リンク
１８０    エアシリンダー
１８４    連動リンク
１８６、１８７      ローラ
【図１】
0003556130.tif 000002
【図２】
0003556130.tif 000003
【図３】
0003556130.tif 000004
【図４】
0003556130.tif 000005
【図５】
0003556130.tif 000006
【図６】
0003556130.tif 000007